(57)【要約】【課題】自動両面印刷手段の搭載が不要で、原稿の元々の並びも変えなくてよく、且つページずれも発生しない、複写機の両面複写印刷方法を提供する。【解決手段】偶数枚片面原稿を最終ページから順に取り込んで両面印刷をおこなう際、まず、奇数ページのみ順に読み取ってその奇数ページを印刷用紙の第１面に印刷し、次に、偶数ページのみ順に読み取ってその偶数ページを前記印刷用紙の第２面に印刷することにより両面印刷する複写機において、片面原稿の両面印刷を指示する第１ボタン１２、奇数枚原稿である旨を指示する第２ボタン１３、前記第１ボタン１２、第２ボタン１３により奇数枚片面原稿の両面印刷が指示されたとき、原稿飛ばし設定を自動的に偶数枚原稿の両面印刷時の設定内容とは逆にすると共に、第１面印刷終了後、第２面印刷時に印刷用紙の先頭１枚目を印刷処理なしに空搬送させ、印刷用紙の２枚目から、読み取られた偶数ページを順に印刷させる制御部１４を備えた。【選択図】　　　図１７
2004077746.tif 000002
【特許請求の範囲】
【請求項１】
片面原稿を最終ページから順に取り込んで両面印刷をおこなう際、原稿が偶数枚の場合、まず、原稿飛ばし設定に従い偶数ページを飛ばして奇数ページのみ順に読み取ってその奇数ページを印刷用紙の第１面に印刷し、次に、奇数ページを飛ばして偶数ページのみ順に読み取ってその偶数ページを前記印刷用紙の第２面に印刷することにより印刷用紙の両面に印刷することができる複写機において、片面原稿の両面印刷であることを指示する第１のボタンと、奇数枚原稿であることを指示する第２のボタンと、前記第１および第２のボタンにより片面原稿の両面印刷であり且つ奇数枚原稿であることが指示された奇数枚片面原稿の両面印刷時、前記原稿飛ばし設定を自動的に偶数枚原稿の両面印刷時の設定内容とは逆にするとともに、第１面印刷終了後、印刷用紙の第２面印刷時に印刷用紙の先頭１枚目を印刷処理なしに空搬送・排紙させ、その印刷用紙の２枚目から、読み取られた偶数ページを順に印刷させる制御手段と、を備えたことを特徴とする複写機。
【請求項２】
片面原稿を最終ページから順に取り込んで両面印刷をおこなう際、原稿が偶数枚の場合、まず、原稿飛ばし設定に従って偶数ページを飛ばして奇数ページのみ順に読み取り、その奇数ページを印刷用紙の第１面に印刷し、次に、奇数ページを飛ばして偶数ページのみ順に読み取ってその偶数ページを前記印刷用紙の第２面に印刷する複写機の両面複写印刷方法において、片面原稿の両面印刷であり、且つ奇数枚原稿であることが指示された奇数枚片面原稿の両面印刷実行時、前記原稿飛ばし設定を自動的に偶数枚原稿の両面印刷時の設定内容と逆にすることを特徴とする複写機の両面複写印刷方法。
【請求項３】
請求項２記載の複写機の両面複写印刷方法において、前記奇数枚片面原稿の両面印刷実行時、第１面印刷終了後、印刷用紙の第２面印刷時に印刷用紙の先頭１枚目を印刷処理なしに空搬送して排紙し、その印刷用紙の２枚目から、読み取られた偶数ページを順に印刷することを特徴とする複写機の両面複写印刷方法。
【請求項４】
請求項２または請求項３記載の複写機の両面複写印刷方法において、ソーターを接続して複数部印刷を実行する際、第１面印刷時にはスタックへ排紙し、第２面印刷時には前記ソーターへ排紙することを特徴とする複写機の両面複写印刷方法。
【請求項５】
片面原稿を先頭ページまたは最終ページから順に取り込んで両面印刷をおこなう際、まず、奇数ページまたは偶数ページのみ順に読み取り、読み取ったページを読み取り順に印刷用紙の第１面に印刷し、次に、読み飛ばしたページのみ順に読み取ってそのページを前記印刷用紙の第２面に印刷する複写機の両面複写印刷方法において、ソーターを接続して複数部印刷を実行する際、第１面印刷時にはスタックへ排紙し、第２面印刷時には前記ソーターへ排紙することを特徴とする複写機の両面複写印刷方法。
【発明の詳細な説明】
【０００１】
【発明の属する技術分野】
本発明は、片面の原稿から複数ページの画像を読み取ってその画像の両面印刷をおこなうことができる複写機の両面複写印刷方法に関する。
【０００２】
【従来の技術】
現在、自然環境に対する配慮から紙文書を電子文書化する流れがあるが、それでも現状はまだまだ紙文書の廃絶には至らない。そのため、少なくとも紙文書の総量削減をおこなっていこうという流れがある。この紙文書の総量削減を実現する手段として、両面複写印刷の実施が有効であるのは明白である。
この両面複写印刷については、印刷用紙を裏返しにするための両面印刷トレーと、原稿を裏返しにするための両面印刷対応ＡＤＦ（自動原稿給送装置）とを搭載した両面印刷複写機が既に製品化されている。ところが、この便利な複写機は複雑な紙搬送をおこなうので、開発コストおよび製造コストが大きくなってしまう。したがって、両面複写印刷を安価に実現するために、なんとか前記した自動両面印刷機能を使わずに実現できる複写機が待望されている。
【０００３】
【発明が解決しようとする課題】
そこで考えられる方法は、印刷用紙の片面をまとめて一気に印刷し、排紙された印刷用紙をまとめ、手作業で給紙トレーに再セットし、もう一方の面の印刷をおこなうことである。しかしながら、この方法では、片面原稿の両面印刷（片面原稿２枚を印刷用紙の表裏に印刷する）をする際にまず原稿を奇数ページと偶数ページに分けてから印刷用紙の片面ずつまとめて印刷する必要があるので、原稿の元々の並びを変えてしまうことになり、手作業の量が非常に多くなる上、作業の正確性が著しく落ちてしまう。
本発明の目的は、このような従来技術の問題を解決することにあり、具体的には、ＡＤＦにセットされた片面原稿を２枚１組にして取り込み、その内の１枚だけをスキャン読み取りして片面印刷し、残る１枚の原稿はスキャン読み取りせずに空搬送することにより、自動両面印刷手段の搭載を不要にするだけでなく、原稿の元々の並びも変えなくてよく、且つページずれも発生しない複写機の両面複写印刷方法などを提供することにある。
【０００４】
【課題を解決するための手段】
前記の課題を解決するために、請求項１記載の発明では、片面原稿を最終ページから順に取り込んで両面印刷をおこなう際、原稿が偶数枚の場合、まず、原稿飛ばし設定に従い偶数ページを飛ばして奇数ページのみ順に読み取ってその奇数ページを印刷用紙の第１面に印刷し、次に、奇数ページを飛ばして偶数ページのみ順に読み取ってその偶数ページを前記印刷用紙の第２面に印刷することにより印刷用紙の両面に印刷することができる複写機において、片面原稿の両面印刷であることを指示する第１のボタンと、奇数枚原稿であることを指示する第２のボタンと、前記第１および第２のボタンにより片面原稿の両面印刷であり且つ奇数枚原稿であることが指示された奇数枚片面原稿の両面印刷時、前記原稿飛ばし設定を自動的に偶数枚原稿の両面印刷時の設定内容とは逆にするとともに、第１面印刷終了後、印刷用紙の第２面印刷時に印刷用紙の先頭１枚目を印刷処理なしに空搬送・排紙させ、その印刷用紙の２枚目から、読み取られた偶数ページを順に印刷させる制御手段とを備えた。
また、請求項２記載の発明では、片面原稿を最終ページから順に取り込んで両面印刷をおこなう際、原稿が偶数枚の場合、まず、原稿飛ばし設定に従って偶数ページを飛ばして奇数ページのみ順に読み取り、その奇数ページを印刷用紙の第１面に印刷し、次に、奇数ページを飛ばして偶数ページのみ順に読み取ってその偶数ページを前記印刷用紙の第２面に印刷する複写機の両面複写印刷方法において、片面原稿の両面印刷であり、且つ奇数枚原稿であることが指示された奇数枚片面原稿の両面印刷実行時、前記原稿飛ばし設定を自動的に偶数枚原稿の両面印刷時の設定内容と逆にする構成にした。
【０００５】
また、請求項３記載の発明では、請求項２記載の発明において、前記奇数枚片面原稿の両面印刷実行時、第１面印刷終了後、印刷用紙の第２面印刷時に印刷用紙の先頭１枚目を印刷処理なしに空搬送して排紙し、その印刷用紙の２枚目から、読み取られた偶数ページを順に印刷する構成にした。
また、請求項４記載の発明では、請求項２または請求項３記載の発明において、ソーターを接続して複数部印刷を実行する際、第１面印刷時にはスタックへ排紙し、第２面印刷時には前記ソーターへ排紙する構成にした。
また、請求項５記載の発明では、片面原稿を先頭ページまたは最終ページから順に取り込んで両面印刷をおこなう際、まず、奇数ページまたは偶数ページのみ順に読み取り、読み取ったページを読み取り順に印刷用紙の第１面に印刷し、次に、読み飛ばしたページのみ順に読み取ってそのページを前記印刷用紙の第２面に印刷する複写機の両面複写印刷方法において、ソーターを接続して複数部印刷を実行する際、第１面印刷時にはスタックへ排紙し、第２面印刷時には前記ソーターへ排紙する構成にした。
【０００６】
【発明の実施の形態】
以下、図面により本発明の実施の形態を詳細に説明する。
図２０は本発明が実施される複写機要部の一例を示す構成図である。このような構成で、この複写機では、画像形成時、まず、帯電器２が感光体１の表面をマイナスに帯電させる。続いて、画像情報に従って強度変調され、光走査光学系３により走査された光束によって感光体１上に静電潜像を形成する。感光体１の光束の当たった場所は導電性を発現し、表面のマイナス電荷が感光体１の基材を経てアースへ逃げ、その部分のマイナス電位が低下して静電潜像が形成されるのである。
次に、現像器４によりマイナスの電気を帯びたトナーが潜像部に近づけられると、潜像部にトナーが移行する。さらに、潜像部に移行したトナーは転写用帯電器５により印刷用紙Ｐに移行する。そして、定着器６によって印刷用紙上のトナーが印刷用紙Ｐに固着する。
【０００７】
以下、本発明の第１の実施例について説明する。
図１に、前記した印刷用紙の流れの一例を示す。図示したように、給紙トレー７から給送された印刷用紙Ｐは感光体１に接する位置を通過し、このとき、前記したようにトナー像が固着し、定着がおこなわれ、排紙トレー８に排出される。このような複写機を用いて、本発明の第１の実施例の複写機では、複数枚の片面原稿をＡＤＦ（自動原稿給送装置）により自動的に給送し、両面印刷をおこなうものであるが、自動両面印刷手段は持たない。なお、この実施例では、請求項１記載の制御手段はプログラムを記憶しておくメモリ、そのプログラムに従って動作するＣＰＵなどにより実現される。
このような構成で片面原稿から両面印刷を実現する場合、複写機に搭載されるＡＤＦの仕様（先頭ページから取り込むか、最終ページから取り込むか）と印刷用紙の搬送パターンとの組合せにより、以下に示す４つの構成▲１▼〜▲４▼でしか容易に実現することは不可能である。言い換えれば、この構成以外では原稿の並び替えなどの煩雑な作業が必要となってくる。
【０００８】
以下、図１〜図９により、構成▲１▼〜▲４▼について、まず、原稿枚数が偶数枚の場合で説明する。
構成▲１▼（図２および図５参照）
この構成は、搬送パターンが、図１に示した搬送パターン１か、図４に示した搬送パターン２である。なお、搬送パターン１とは印刷用紙を給紙トレー７から供給する搬送パターンであり、搬送パターン２とは、印刷用紙を手差し給紙トレー９から供給し、且つ給紙の際、手差し給紙トレー９に積載された印刷用紙中の下側から印刷用紙を取り込む搬送パターンである。
また、装置本体上面に配置した図示しないコンタクトガラス上に配置された自動原稿給紙装置ＡＤＦ（図示していない）では、原稿給紙台上にセットされた原稿束のうちの最終ページから取り込み、後のページから奇数ページだけを順に読み取って読み取り順に奇数面を印刷用紙に印刷した後、同じ原稿束を再び最終ページから取り込み、偶数ページだけを順に読み取って読み取り順に偶数面を印刷用紙に印刷する（図２および図５参照）。なお、ＡＤＦにセットされた片面原稿のうち、奇数面印刷時は偶数ページを読み取らずに飛ばし（空搬送し）、偶数面印刷時は奇数ページを読み取らずに飛ばす。つまり、原稿飛ばし設定は第１ステップ（第１面印刷）の奇数面印刷時は先飛ばし（ペアとなる２枚の原稿のうち先に取り込んだページ（この場合は偶数ページ）を飛ばすモード）で（図１０参照）、第２ステップ（第２面印刷）の偶数面印刷時は後飛ばし（ペアとなる２枚の原稿のうち後から取り込んだページ（この場合は奇数ページ）を飛ばすモード）である（図１１参照）。
【０００９】
以下、他の構成については次の通りである。
構成▲２▼（図３および図６参照）
搬送パターン　：１、２（図１および図４参照）
ＡＤＦ　　　　：原稿先頭ページからの取り込み
手差し給紙　　：下から取り込み
印刷順序　　　：偶数面印刷の後、奇数面印刷
原稿飛ばし設定：先飛ばし→後飛ばし
構成▲３▼（図８参照）
搬送パターン　：３（図７参照）
ＡＤＦ　　　　：原稿先頭ページからの取り込み
手差し給紙　　：上から取り込み
印刷順序　　　：奇数面印刷の後、偶数面印刷
原稿飛ばし設定：後飛ばし→先飛ばし
構成▲４▼（図９参照）
搬送パターン　：３（図７参照）
ＡＤＦ　　　　：原稿最終ページからの取り込み
手差し給紙　　：上から取り込み
印刷順序　　　：偶数面印刷の後、奇数面印刷
原稿飛ばし設定：後飛ばし→先飛ばし
以上、原稿が偶数枚（６枚）であるという前提で説明してきたが、実際には奇数枚原稿の場合もあり、その場合、例えば構成▲１▼や構成▲４▼などについてはページずれが発生する。以下、構成▲１▼の場合についてページずれの発生とその解決策について説明する。
【００１０】
この構成では原稿飛ばし設定が「第１面印刷時（第１ステップ印刷時）：先飛ばし→第２面印刷時（第２ステップ印刷時）：後飛ばし」となっているが、ＡＤＦの原稿取り込み仕様が「最終ページから」となっているので、原稿が奇数枚の場合は第１面に偶数面が印刷されてしまう（図１２参照）。構成▲１▼では印刷順序が「第１面印刷：奇数面→第２面印刷：偶数面」とならねばいけないので、最終的に印刷仕上がりにページずれが発生してしまう（図１３参照）。
そこで、この実施例では、構成▲１▼の複写機の場合、「片面原稿の両面印刷」および「奇数枚原稿」を夫々指示（選択）する第１ボタン及び第２ボタンを搭載し、これらのボタンにより「片面原稿の両面印刷」および「奇数枚原稿」を指示した場合には原稿飛ばし設定を「後飛ばし→先飛ばし」に自動的に変更する。
図１７に、この実施例の複写機の操作・制御系要部の構成ブロック図を示す。図示したように、操作部１１内に片面原稿の両面印刷であることを指示する第１のボタン１２と、奇数枚原稿であることを指示する第２のボタン１３とを備え、図１７に示した制御部１４は、第１および第２のボタンにより片面原稿の両面印刷であり且つ奇数枚原稿であることが指示された奇数枚片面原稿の両面印刷時、原稿飛ばし設定を自動的に偶数枚原稿の両面印刷時の設定内容とは逆にするとともに、第１面印刷終了後、印刷用紙の第２面印刷時に印刷用紙の先頭１枚目を印刷処理なしに空搬送・排紙させ、その印刷用紙の２枚目から、読み取られた偶数ページを順に印刷させるのである。制御部１４内のＣＰＵ１５がボタン１２、１３からの信号を検出し、プログラムに従って指示に応じてスキャナ１６による原稿読み取りを制御するのである。
この場合の印刷状況を図１４および図１５に示す。図１５に示したように、これだけでは図１３と同様のページずれが発生してしまう。そこで、本発明では図１６に示すように第２面印刷時に、最初の１枚目印刷が始まる前に印刷用紙（第１面に５頁目の原稿内容が印刷済み）を１枚だけ空搬送し、排紙トレーに吐き出す。その後は、順次３頁目の第２面に４頁を、１頁目の第２面に２頁を夫々印刷する。
こうして、この実施例によれば、ページずれを回避することが可能となる（図１６参照）。
【００１１】
本発明の第２の実施例の複写機では、ここまで説明してきた第１の実施例の複写機にソーターを接続し、片面原稿の両面印刷を複数部のソート排紙設定で実行する。以下、代表して、前記した構成▲１▼で３部印刷をおこなう場合で説明する。通常の動作では、片面原稿の両面印刷をおこなう際には、第１面（この場合は奇数面）印刷を終了した印刷用紙はソーターの個別トレーに１部ずつ振り分け排紙される。そして、第１面の印刷が終了したところで、第２面（この場合は偶数面）印刷に向けてソーターの個別トレーから１部ずつ取り出し、まとめた上で給紙トレーに再セットする。続いて第２面印刷をおこなうわけであるが、印刷仕上がりにはページずれが発生する。例えば原稿が６枚の場合、第２面（偶数面）印刷時、図１８の中ほどに示したように再セットされるが、例えば６ページ目３部は５、３、１ページの反対面に印刷され、ソーターのそれぞれの個別トレーに排紙されるので、図１８の下方に示したようにページがずれてしまうのである。
そこで、この実施例では、第１面印刷時にはスタック排紙とし、第２面印刷時にソート排紙とする。
こうして、本発明の第２の実施例によれば、第１面印刷後に印刷用紙をまとめる必要もなくなるし、ページずれも起きない（図１９参照）。なお、第２の実施例に示した両面複写印刷方法の適用範囲は構成▲１▼だけに制限されない。片面原稿を先頭ページまたは最終ページから順に取り込んで両面印刷をおこなう際、まず、奇数ページまたは偶数ページのみ順に読み取り、読み取ったページを読み取り順に印刷用紙の第１面に印刷し、次に、読み飛ばしたページのみ順に読み取ってそのページを前記印刷用紙の第２面に印刷する各構成の複写機の両面複写印刷に同様にして実施することができる。
【００１２】
【発明の効果】
以上説明したように、請求項１記載の発明では、片面原稿を最終ページから順に取り込んで両面印刷をおこなう際、原稿が偶数枚の場合、まず、原稿飛ばし設定に従い偶数ページを飛ばして奇数ページのみ順に読み取ってその奇数ページを印刷用紙の第１面に印刷し、次に、奇数ページを飛ばして偶数ページのみ順に読み取ってその偶数ページをその印刷用紙の第２面に印刷することにより印刷用紙の両面に印刷する構成の複写機において、片面原稿の両面印刷であり且つ奇数枚原稿であることが指示された奇数枚片面原稿の両面印刷時には、原稿飛ばし設定が自動的に偶数枚原稿の両面印刷時の設定内容とは逆にされ、且つ第１面印刷終了後、印刷用紙の第２面印刷時に、印刷用紙の先頭１枚目が印刷処理なしに空搬送・排紙され、その印刷用紙の２枚目から、読み取られた偶数ページが順に印刷されるので、前記した構成の複写機の両面複写印刷において、原稿の元々の並びも変えなくてよく、且つページずれも発生しない。
また、請求項２記載の発明では、片面原稿を最終ページから順に取り込んで両面印刷をおこなう際、原稿が偶数枚の場合、まず、原稿飛ばし設定に従って偶数ページを飛ばして奇数ページのみ順に読み取り、その奇数ページを印刷用紙の第１面に印刷し、次に、奇数ページを飛ばして偶数ページのみ順に読み取ってその偶数ページを前記印刷用紙の第２面に印刷する複写機の両面複写印刷の際、片面原稿の両面印刷であり、且つ奇数枚原稿であることが指示された奇数枚片面原稿の両面印刷実行時、原稿飛ばし設定が自動的に偶数枚原稿の両面印刷時の設定内容と逆にされるので、前記した構成の複写機の両面複写印刷において、原稿の元々の並びも変えなくてよく、且つページずれも発生しないようにできる。
また、請求項３記載の発明では、請求項２記載の発明において、奇数枚片面原稿の両面印刷実行時、第１面印刷終了後、印刷用紙の第２面印刷時に印刷用紙の先頭１枚目が印刷処理なしに空搬送・排紙され、その印刷用紙の２枚目から、読み取られた偶数ページが順に印刷されるので、請求項１記載の発明と同様の効果を得ることができる。
また、請求項４記載の発明では、請求項２または請求項３記載の発明において、ソーターを接続して複数部印刷を実行する際、第１面印刷時にはスタックへ排紙され、第２面印刷時にはソーターへ排紙されるので、ソーターを接続して複数部印刷を実行する場合でもページずれの発生を防げる。
また、請求項５記載の発明では、片面原稿を先頭ページまたは最終ページから順に取り込んで両面印刷をおこなう際、まず、奇数ページまたは偶数ページのみ順に読み取り、読み取ったページを読み取り順に印刷用紙の第１面に印刷し、次に、読み飛ばしたページのみ順に読み取ってそのページを前記印刷用紙の第２面に印刷する複写機の両面複写印刷において、ソーターを接続して複数部印刷を実行する際、第１面印刷時にはスタックへ排紙され、第２面印刷時にはソーターへ排紙されるので、そのような複写機の両面複写印刷の際にソーターを接続して複数部印刷を実行する場合でもページずれの発生を防げる。
【図面の簡単な説明】
【図１】本発明の第１の実施例を示す複写機要部の説明図である。
【図２】本発明の第１の実施例を示す両面複写印刷方法の説明図である。
【図３】本発明の第１の実施例を示す両面複写印刷方法の他の説明図である。
【図４】本発明の第１の実施例を示す複写機要部の他の説明図である。
【図５】本発明の第１の実施例を示す両面複写印刷方法の他の説明図である。
【図６】本発明の第１の実施例を示す両面複写印刷方法の他の説明図である。
【図７】本発明の第１の実施例を示す複写機要部の他の説明図である。
【図８】本発明の第１の実施例を示す両面複写印刷方法の他の説明図である。
【図９】本発明の第１の実施例を示す両面複写印刷方法の他の説明図である。
【図１０】本発明の第１の実施例を示す両面複写印刷方法の他の説明図である。
【図１１】本発明の第１の実施例を示す両面複写印刷方法の他の説明図である。
【図１２】本発明の第１の実施例を示す両面複写印刷方法の他の説明図である。
【図１３】本発明の第１の実施例を示す両面複写印刷方法の他の説明図である。
【図１４】本発明の第１の実施例を示す両面複写印刷方法の他の説明図である。
【図１５】本発明の第１の実施例を示す両面複写印刷方法の他の説明図である。
【図１６】本発明の第１の実施例を示す両面複写印刷方法の他の説明図である。
【図１７】本発明の第１の実施例を示す複写機要部の構成ブロック図である。
【図１８】本発明の第２の実施例を示す両面複写印刷方法の説明図である。
【図１９】本発明の第２の実施例を示す両面複写印刷方法の他の説明図である。
【図２０】本発明が実施される複写機要部の構成図である。
【符号の説明】
１　感光体
７　給紙トレー
８　排紙トレー
９　手差し給紙トレー
１０　排紙トレー
１１　操作部
１２　第１ボタン
１３　第２ボタン
１４　制御部
１５　スキャナ
【図１】
2004077746.tif 000003
【図２】
2004077746.tif 000004
【図３】
2004077746.tif 000005
【図４】
2004077746.tif 000006
【図５】
2004077746.tif 000007
【図６】
2004077746.tif 000008
【図７】
2004077746.tif 000009
【図８】
2004077746.tif 000010
【図９】
2004077746.tif 000011
【図１０】
2004077746.tif 000012
【図１１】
2004077746.tif 000013
【図１２】
2004077746.tif 000014
【図１３】
2004077746.tif 000015
【図１４】
2004077746.tif 000016
【図１５】
2004077746.tif 000017
【図１６】
2004077746.tif 000018
【図１７】
2004077746.tif 000019
【図１８】
2004077746.tif 000020
【図１９】
2004077746.tif 000021
【図２０】
2004077746.tif 000022